(57)【特許請求の範囲】
【請求項１】
選曲操作に基づき、記憶媒体に記憶された音楽データを再生する再生手段、入力された音声を認識する音声認識手段、上記再生手段が上記音楽データを再生している際に、上記音声認識手段が入力された音声を認識した場合、この認識した音声と再生中の音楽データの上記記憶媒体に記憶された曲の順番を示す曲番号とを一対にし、これら一対データと、この一対データを記憶するテンプレート番号とを記憶する記憶手段、音声入力により上記再生手段を再生動作させる際、上記音声認識手段により認識された音声が上記記憶手段に記憶されているか否かを判断し、記憶された音声と一致した場合は、この一致した音声に対応する上記曲番号の音楽データを再生するよう上記再生手段に出力する制御手段を備え、上記制御手段は上記音声認識手段が入力音声を認識した際、この入力音声に対応する上記テンプレート番号を選択し、このテンプレート番号に対応した曲番号の音楽データを再生するように制御することを特徴とする音楽自動再生装置。
【請求項２】
操作に基づき、複数の記憶媒体から所望の記憶媒体を選択し、この選択した記憶媒体に記憶された音楽データを再生する再生手段、入力された音声を認識する音声認識手段、上記再生手段が上記音楽データを再生している際に、上記音声認識手段が入力された音声を認識した場合、この認識した音声と再生中の記憶媒体の順番を示す記憶媒体番号と再生中の曲の順番を示す曲番号とを一組にし、これら一組データと、この一組データを記憶するテンプレート番号とを記憶する記憶手段、音声入力により上記再生手段を再生動作させる際、上記音声認識手段により認識された音声が上記記憶手段に記憶されているか否かを判断し、記憶された音声と一致した場合は、この一致した音声に対応する上記記憶媒体番号の記憶媒体を選択するとともにこの記憶媒体に記憶された上記曲番号の音楽データを再生するよう上記再生手段に出力する制御手段を備え、上記制御手段は上記音声認識手段が入力音声を認識した際、この入力音声に対応する上記テンプレート番号を選択し、このテンプレート番号に対応した記憶媒体番号と曲番号の音楽データを再生するように制御することを特徴とする音楽自動再生装置。
【請求項３】
音声認識手段が複数の音声を認識した際、認識した順に記憶手段に記憶し、再生手段が音楽データを再生する際、記憶された各音声と一致した音声に対応する音楽データを順に再生するよう再生手段に出力することを特徴とする請求項１または請求項２に記載の音楽自動再生装置。
【発明の詳細な説明】
【０００１】
【産業上の利用分野】
この発明は、コンパクトディスクプレイヤ、テープレコーダ、ＤＡＴ（ディジタル・オーディオ・テープ）、ビデオディスクなどに利用される音楽自動再生装置に関するものである。
【０００２】
【従来の技術】
図６はたとえば、特開昭６２−２９１７７７号公報に示された従来の音楽自動再生装置を特定話者登録型の音声認識装置を用いて、コンパクトディスクプレイヤに適応した場合のブロック図である。
【０００３】
この図６において、１はコンパクトディスクであり、数曲の音楽信号を記録している。このコンパクトディスク１に記録された音楽信号をピックアップ２により光学的に読み取るようになっている。また、ピックアップ２により、曲の開始、終了信号を読み取って、コントローラ１０に出力するようになっている。
【０００４】
このピックアップ２はアクセス制御回路３により、適正な位置へ移動制御されるようになっている。このアクセス制御回路３もコントローラ１０により制御されるようになっている。このコントローラ１０は音楽自動再生装置全体を制御するものである。
【０００５】
コントローラ１０には、選曲スイッチ４からの曲番号の命令信号が入力されるようになっているとともに、認識スイッチ２２から音声認識動作の開始を指示する信号が入力されるようになっている。さらに、登録スイッチ２３から音声の登録開始動作を指示する信号もコントローラ１０に入力されるようになっている。
【０００６】
上記ピックアップ２によりコンパクトディスク１から読み取ったディジタル信号はディジタル／アナログ（以下、Ｄ／Ａという）変換器５でアナログ信号に変換されるようになっている。このＤ／Ａ変換器５で変換されたアナログ信号は、アンプ６で増幅して、スピーカ７から音楽を再生するようにしている。
【０００７】
一方、マイクロホン２１は発声された音声を電気信号に変換して、音声認識装置２０にこの電気信号を送出するようになっている。音声認識装置２０は、テンプレートに音声パターンを記憶する回路を有し、認識時には、受け付けた音声パターンと予めテンプレートに登録した音声パターンとを比較することにより、認識結果をコントローラ１０に出力するようになっている。なお、２４は登録するテンプレートの番号を表示する表示器である。
【０００８】
次に、動作について、図７のフローチャートに沿って説明する。まず、選曲スイッチ４による選曲方法について説明する。選曲スイッチ４により曲番号を指定すると、コントローラ１０は選曲スイッチ４が押されたことをステップＳ１００で検知し、アクセス制御回路３に曲番号を出力する。
【０００９】
アクセス制御回路３は、ピックアップ２によってコンパクトディスク１より読み取った信号が指定された曲番号のものになるまで、ステップＳ１０１でピックアップ２を移動させる。
【００１０】
ピックアップ２が適正な位置に移動すると、コンパクトディスク１の音楽信号は、ピックアップ２によって読み取られ、Ｄ／Ａ変換器５でアナログ信号に変換され、アンプ６で増幅され、スピーカ７で音波に変換されて、ステップＳ１０２で音楽再生が始まる。
【００１１】
次に、音声認識制御による選曲動作について説明する。音声認識が実行されるに先立ち、音声認識装置２０には、曲名に対応している認識すべき音声パターン、すなわち、テンプレートの登録を行わなければならない。次の表１に曲番号と曲名との関係例を示す
【００１２】
【表１】
0003672936.tif 000002
【００１３】
この表１に示すように、曲番号１の曲「夢の中へ」に対応して、「夢」の音声パターンはテンプレート番号「１」に登録される。ここで、テンプレート番号とは音声認識装置２０にテンプレートとして格納している音声パターンの番号である。
【００１４】
テンプレートの登録は、登録スイッチ２３を押すことによって開始される。コントローラ１０はこの登録スイッチ２３が押されたことをステップＳ１１０で検知すると、テンプレート番号「１」の音声登録をするように音声認識装置２０に登録指令信号をステップＳ１１１で出すと同時に、表示器２４にテンプレート番号である「１」を表示させる。
【００１５】
「夢」と音声が発声されると、マイクロホン２１は音声を電気信号に変換し、音声認識装置２０に出力する。この音声認識装置２０は音声を検知すると、登録処理を行い、音声の特徴パラメータをテンプレート番号１に登録した後、登録終了信号をコントローラ１０に出力する。
【００１６】
コントローラ１０はステップＳ１１２でこの登録終了信号を受け取ると、次はテンプレート番号「２」の音声登録をするように、音声認識装置２０に登録指令を出し、表示器２４にテンプレート番号である「２」を表示させる。この登録の動作は、コンパクトディスク１に記録している曲の数だけ順に実行され、ステップＳ１１３で最終曲に対応するテンプレートの登録が終了したと判断すると、全登録の作業を終了する。以上の操作により、表１に示すように、曲番号と同一番号のテンプレートには、曲番号に対応した曲名の音声が登録される。
【００１７】
登録が終了すると、音声による選曲が可能となる。認識スイッチ２２が押されると、コントローラ１０はステップＳ１２０で認識スイッチ２２が押されたことを検知して、ステップＳ１２１でコントローラ１０は音声認識装置２０に認識開始指令を出す。
【００１８】
ここで、たとえば、「氷」と音声が発声されると、音声認識装置２０は音声を検知し、認識動作を開始し、発声された音声の特徴パラメータを分析し、登録してあるテンプレートと比較し、たとえば、テンプレート「３」が発声された音声と最も近いと判断すると、テンプレート番号「３」を認識結果として、コントローラ１０に出力する。
【００１９】
コントローラ１０は認識結果をステップＳ１２２で検知すると、ピックアップ２を指定されたテンプレート番号に対応した曲番号まで移動させるようにアクセス制御回路３に指令する。これにより、ステップＳ１２３でピックアップ２は選曲のために移動し、曲「氷の世界」の再生が開始される（ステップＳ１０２）。
【００２０】
また、認識スイッチ２２を押した後、音声認識による選曲を途中で中止したい場合には、再度認識スイッチ２２を押せば、コントローラ１０は認識スイッチ２２を押したことをステップＳ１３０で検知し、音声認識装置２０に認識動作終了の指令がステップＳ１３１で出力され、音声認識装置２０は認識動作を終了する。
【００２１】
【発明が解決しようとする課題】
従来の音楽自動再生装置は以上のように構成されているので、曲名の音声登録を実行する際には、曲番号の順に対応する音声を発声しなければならないので、コンパクトディスクに記録している曲名と曲番号との対応を見ながら、音声登録を実行する必要があり、曲名の音声登録を煩わしいものにしていた。また、コンパクトディスクが多数入ったマガジン型のコンパクトディスクプレーヤの場合には、全曲を登録しなければならない煩わしさがあった。
【００２２】
請求項１に記載の発明は、上記のような課題を解消するためになされたもので、登録時に曲番号と曲名の対応を見なくてもよく、曲番号に対応する曲名を容易に登録でき、音声によって簡単に選曲でき、使い勝手のよい音響再生装置を得ることを目的とする。
【００２３】
また、請求項２に記載の発明は上記請求項１の発明の目的に加えて、複数の記録媒体中のどこに記録されている曲でも音声により簡単に選曲することができる音楽自動再生装置を得ることを目的とする。
【００２４】
さらに、請求項３に記載の発明は、複数の曲名の記憶順に再生でき、再生を円滑にできる音楽自動再生装置を得ることを目的とする。
【００２５】
【課題を解決するための手段】
請求項１に記載の発明に係る音楽自動再生装置は、選曲操作に基づき、記憶媒体に記憶された音楽データを再生する再生手段と、入力された音声を認識する音声認識手段と、再生手段が音楽データを再生している際に、音声認識手段が入力された音声を認識した場合、この認識した音声と再生中の音楽データの記憶媒体に記憶された曲の順番を示す曲番号とを一対にし、これら一対データと、この一対データを記憶するテンプレート番号とを記憶する記憶手段と、音声入力により再生手段を再生動作させる際、音声認識手段により認識された音声が記憶手段に記憶されているか否かを判断し、記憶された音声と一致した場合は、この一致した音声に対応する曲番号の音楽データを再生するよう再生手段に出力する制御手段を備え、制御手段は音声認識手段が入力音声を認識した際、この入力音声に対応するテンプレート番号を選択し、このテンプレート番号に対応した曲番号の音楽データを再生するように制御するものである。
【００２６】
また、請求項２に記載の発明に係る音楽自動再生装置は、操作に基づき、複数の記憶媒体から所定の記憶媒体を選択し、この選択した記憶媒体に記憶された音楽データを再生する再生手段と、入力された音声を認識する音声認識手段と、再生手段が音楽データを再生している際に、音声認識手段が入力された音声を認識した場合、この認識した音声と再生中の記憶媒体の順番を示す記憶媒体番号と再生中の曲の順番を示す曲番号とを一組にし、これら一組データと、この一組データを記憶するテンプレート番号とを記憶する記憶手段と、音声入力により再生手段を再生動作させる際、音声認識手段により認識された音声が記憶手段に記憶されているか否かを判断し、記憶された音声と一致した場合は、この一致した音声に対応する記憶媒体番号の記憶媒体を選択するとともにこの記憶媒体に記憶された曲番号の音楽データを再生するよう再生手段に出力する制御手段を備え、制御手段は音声認識手段が入力音声を認識した際、この入力音声に対応するテンプレート番号を選択し、このテンプレート番号に対応した記憶媒体番号と曲番号の音楽データを再生するように制御するものである。
【００２７】
さらに、請求項３に記載の発明に係る音楽自動再生装置は、音声認識手段が複数の音声を認識した際、認識した順に記憶手段に記憶し、再生手段が音楽データを再生する際、記憶された各音声と一致した音声に対応する音楽データを順に再生するよう再生手段に出力するようにしたものである。
【００２８】
【作用】
請求項１に記載の発明においては、選曲操作に基づき、記憶媒体に記憶された音楽データを再生する再生手段と、入力された音声を認識する音声認識手段と、再生手段が音楽データを再生している際に、音声認識手段が入力された音声を認識した場合、この認識した音声と再生中の音楽データの記憶媒体に記憶された曲の順番を示す曲番号とを一対にし、これら一対データと、この一対データを記憶するテンプレート番号とを記憶する記憶手段とを備え、音声入力により再生手段を再生動作させる際、音声認識手段により認識された音声が記憶手段に記憶されているか否かを判断し、記憶された音声と一致した場合は、この一致した音声に対応するテンプレート番号を選択し、このテンプレート番号に対応した曲番号の音楽データを再生できる。
【００２９】
また、請求項２に記載の発明においては、操作に基づき、複数の記憶媒体から所定の記憶媒体を選択し、この選択した記憶媒体に記憶された音楽データを再生する再生手段と、入力された音声を認識する音声認識手段と、再生手段が音楽データを再生している際に、音声認識手段が入力された音声を認識した場合、この認識した音声と再生中の記憶媒体の順番を示す記憶媒体番号と再生中の曲の順番を示す曲番号とを一組にし、これら一組データと、この一組データを記憶するテンプレート番号とを記憶する記憶手段と、音声入力により再生手段を再生動作させる際、音声認識手段により認識された音声が記憶手段に記憶されているか否かを判断し、記憶された音声と一致した場合は、この一致した音声に対応するテンプレート番号を選択し、このテンプレート番号に対応した記憶媒体番号と曲番号とから、記憶媒体番号の記憶媒体を選択するとともにこの記憶媒体に記憶された曲番号の音楽データを再生できる。
【００３０】
さらに、請求項３に記載の発明においては、音声認識手段が複数の音声を認識した際、認識した順に記憶手段に記憶し、再生手段が音楽データを再生する際、記憶された各音声と一致した音声に対応する音楽データを順に再生できる。
【００３１】
【実施例】
以下、この発明の音楽自動再生装置の実施例について図面に基づき説明する。図１はその一実施例の構成を示すブロック図である。この図１の実施例の構成の説明に際し、図６と同一部分には、同一符号を付してその重複説明を避け、図１とは異なる部分を主体に述べる。
この図１と図６と比較しても明らかなように、図１では、図６の表示器２４が省略され、記憶手段としての曲番号対応メモリ１１が設けられている。この曲番号対応メモリ１１はテンプレート番号と曲番号との対応を記憶するものであり、音声認識装置２０の音声認識結果と、再生を実行する曲番号とを対応づけるものである。即ち、曲番号対応メモリ１１は、音楽データを再生している際に、音声認識手段である音声認識装置２０が入力された音声を認識した場合、この認識した音声と再生中の音楽データの記憶媒体に記憶された曲の順番を示す曲番号とを一対にし、これら一対データと、この一対データを記憶するテンプレート番号とを記憶するものである。その他の構成は図６と同じである。
【００３２】
次に、動作について、図２のフローチャートを用いて説明する。選曲スイッチ４による選曲方法は図７のフローチャートで示したステップＳ１００〜ステップＳ１０２の処理と同一の動作をするので、この図２のフローチャートのステップＳ１００〜ステップＳ１０２の処理手順についての動作説明を省略する。
【００３３】
次に、音声認識制御による選曲動作について説明する。音声認識が実行されるに先立ち、音声認識装置２０に認識時に比較すべき音声パターン、すなわち、テンプレートの登録を行わなければならない。この実施例では、登録は曲の再生中に行われる。たとえば、曲番号「２」の曲「東へ西へ」が再生中に、登録スイッチ２３が押されると、コントローラ１０はステップＳ１１０で登録スイッチ２３が押されたことをコントローラ１０が検知し、コントローラ１０は音声認識手段としての音声認識装置２０にテンプレート番号「１」の登録指令をステップＳ１１４で出力する。
【００３４】
この音楽自動再生装置を使う者は、音楽を聞いているので、再生中の曲が何であるかは、曲名を書いたリストを見なくてもわかる。ここで、たとえば、「東」と音声が発声されると、音声認識装置２０はマイクロホン２１が取り込んだ音声信号を受け付け、自己の持つ記憶回路のテンプレート番号「１」に「東」を登録した後に、受け付けた音をテンプレート番号「１」に登録した旨の登録終了信号をコントローラ１０に出力する。
【００３５】
これにより、ステップＳ１１５で、コントローラ１０はこの登録終了信号を受け付けると、認識曲番号対応手段としての、曲番号対応メモリ１１にテンプレート番号と登録スイッチ２３が押されたときの曲番号と対応してステップＳ１１６で記憶する。すなわち、テンプレート番号「１」と曲番号「２」が対応づけられる。この実施例では、登録スイッチ２３による音声登録の動作は一つのテンプレートに音声パターンを登録すると終了し、再度音声登録を実行するには、新たに登録スイッチ２３を押して、登録の動作を実行する必要がある。
【００３６】
また、再度、同一曲番号に対して、登録を実行しようとしたときは、テンプレートのメモリ節約のために、後から発声した音声を有効とするように処理する。たとえば、再び曲番号「２」の「東へ西へ」が再生中に、登録スイッチ２３が押されると、コントローラ１０は曲番号対応メモリ１１を参照し、曲番号「２」の音声はテンプレート番号１に登録済みであることを判断し、まだ、登録されていないテンプレート番号にではなく、テンプレート番号１の登録指令を音声認識装置２０に出力し、以下、同様の動作手順によりテンプレート番号「１」の登録が実行される。
【００３７】
このように、音声登録は、再生中の曲番号と、そのときに登録した音声が対応づけられて曲番号対応メモリ１１に記憶される。曲番号対応メモリ１１に３曲まで登録した場合のテンプレート番号と曲番号との対応例を次の表２に示す。この表２に示すとおり、テンプレート番号と曲番号とは同一であるとは限らない。
【００３８】
【表２】
0003672936.tif 000003
【００３９】
登録が実行されると、音声認識による選曲が可能となる。認識スイッチ２２が押されると、コントローラ１０は認識スイッチ２２が押されたことをステップＳ１２０で検知し、音声認識装置２０にステップＳ１２１で認識開始指令を出す。ここで、たとえば、「東へ」と音声が発声されると、音声認識装置２０はマイクロホン２１から入力して認識動作を開始し、発声された音声の特徴パラメータを分析し、登録してあるテンプレートと比較し、たとえば、テンプレート番号「１」が発声された音声と最も近いと判断すれば、テンプレート番号「１」を認識結果として、コントローラ１０に出力する。
【００４０】
コントローラ１０はステップＳ１２２で認識結果を受け取ると、曲番号対応メモリ１１を参照し、表２に示すとおり、テンプレート番号「１」に対応した曲番号は２番であることを判定し、ステップＳ１２４で曲番号「２」が選曲される。
【００４１】
以下、同様に、ピックアップ２がステップＳ１０１で選曲移動し、曲「東へ西へ」の再生がステップＳ１０２で開始される。また、音声認識による選曲を途中で中止したい場合の動作は前記従来例のステップＳ１３０、ステップＳ１３１と同一であるから、その説明を省略する。
【００４２】
次に、この発明の第２の実施例について説明する。図３はこの第２の実施例の構成を示すブロック図である。この図３において、符号２，３，５〜７，１０，１１，２０〜２３で示す部分は図１の第１の実施例と同じであるから再度の説明を避ける。この図３では、符号８，９で示す部分が図１とは異なるものである。
【００４３】
すなわち、８はマルチ記録媒体となる複数のコンパクトディスクを格納するコンパクトディスクマガジンである。このコンパクトディスクマガジン８内には、ディスク番号１ａからディスク番号１ｎのコンパクトディスクが収納されている。これらのディスク番号と曲番号の命令を選曲スイッチ４により出して、コントローラ１０に送出するようになっている。また、９はコンパクトディスク選択回路であり、このコンパクトディスク選択回路９はアクセス制御回路３の指令により、コンパクトディスクマガジン８から所望のディスク番号のコンパクトディスクの１枚をピックアップできるように取り出すようになっている。
【００４４】
次に、動作について説明する。動作フローは第１の実施例と類似するので、図２のフローチャートを参照して説明する。次の表３はコンパクトディスクマガジン８に挿入されたコンパクトディスク１ａからコンパクトディスク１ｎまでのディスク番号と曲番号と曲名の対応例である。
【００４５】
【表３】
0003672936.tif 000004
【００４６】
ステップＳ１００〜ステップＳ１０２での選曲スイッチ４による選曲方法は、前記第１の実施例と同様であるが、この第２の実施例では、選曲スイッチ４はディスク番号と曲番号を指定し、選曲の動作の際に、アクセス制御回路３がコンパクトディスク選択回路９を制御する。これにより、コンパクトディスク選択回路９がコンパクトディスクマガジン８より指定のディスク番号のコンパクトディスクを取り出し、ピックアップ２を制御して、指定の曲番号の音楽の再生を実行する。
【００４７】
次に、音声認識制御による選曲動作を説明する。音声認識が実行されるに先立ち、音声認識装置２０には、認識すべき音声特徴パターン、すなわち、テンプレートの登録が行わなければならない。この第２の実施例では、登録は第１の実施例と同様に、ステップＳ１１０、ステップＳ１１４〜ステップＳ１１６で曲の再生中に行われるがステップＳ１１６において、曲番号対応メモリ１１はそのとき登録したテンプレート番号と、再生中のディスク番号と曲番号と、対応づけて記憶する。即ち、曲番号対応メモリ１１は音楽データを再生している際に、音声認識手段が入力された音声を認識した場合、この認識した音声と再生中の記憶媒体の順番を示す記憶媒体番号と再生中の曲の順番を示す曲番号とを一組にし、これら一組データと、この一組データを記憶するテンプレート番号とを記憶する記憶手段であり、曲番号対応メモリ１１に３曲まで登録した場合の曲番号とテンプレート番号の対応例を次の表４に示す。
【００４８】
【表４】
0003672936.tif 000005
【００４９】
登録が実行されると、音声認識による選曲が可能となる。選曲スイッチ２４が押されると、コントローラ１０は認識スイッチ２２が押されたことを検知し、音声認識装置２０に認識開始指令を出す。ここで、たとえば、「東へ」と音声が発声されると、音声認識装置２０は認識動作を開始し、発声された音声の特徴パラメータを分析し、登録してあるテンプレートと比較し、たとえば、テンプレート番号「１」が発声された音声と最も近いと判断すると、テンプレート番号「１」を認識結果としてコントローラ１０に出力する。
【００５０】
コントローラ１０は認識結果を受け取ると、曲番号対応メモリ１１を参照し、上記表４に示すとおり、テンプレート番号「１」に対応するディスク番号は「１」で、曲番号は「２」であることを判定し、ディスク番号「１」の曲番号は「２」番であることを判定し、ディスク番号「１」の曲番号「２」が選曲される。
【００５１】
以下、コンパクトディスク選択回路９により、コンパクトディスク１が取り出され、ピックアップ２が選曲移動し、曲「東へ西へ」の再生が開始される。
【００５２】
次に、この発明の第３の実施例を図について説明する。図４はこの第３の実施例の構成を示すブロック図である。この図４において、符号１〜７，１０，１１，２０〜２３で示す部分は図１の第１の実施例と同様であるので、ここでの重複説明を省略する。この図４は図１の構成に新たに再生順序記憶メモリ１２が付加されたものである。この再生順序記憶メモリ１２は再生する曲番号と、その再生順序を記憶するものである。
【００５３】
次に、図５のフローチャートに沿って、図４の実施例の動作について説明する。この第３の実施例では、音声の登録の動作は、前記第１の実施例と同一である（ステップＳ１１０、ステップＳ１１４〜Ｓ１１６）。以下、表２のように、音声登録が終了したものとして説明する。音声認識による選曲の際には、前記実施例同様に、認識スイッチ２２を押し、音声を発声することにより行う（ステップＳ１２０〜Ｓ１２２）。たとえば、「傘がない」との発声を受け付け、テンプレート番号「３」が認識判定されたとすると、認識結果と曲番号対応メモリ１１により、テンプレート番号３は曲番号「１０」に対応するので、選曲される曲番号が「１０」に決定され（ステップＳ１２４）、コントローラ１０は再生順序記憶メモリ１２に第１番目に曲番号「１０」をステップＳ１２５で記憶する。
【００５４】
再生順序記憶メモリ１２に記憶されると同時に、曲番号１０の選曲の動作が始まるが（ステップＳ１０１、ステップＳ１０２）、その後、引き続いて、認識スイッチ２２を押し、音声を発声する動作を繰り返すことにより、あらかじめ定められた数だけ、コントローラ１０は順次、再生順序記憶メモリ１２に曲番号を記憶させることができる。ただし、２曲目以降の記憶の際には、最初に記憶した曲の再生が終了していないとステップＳ１２６で判断し、新たな選曲の動作はしない。この記憶例は次の表５に示している。
【００５５】
【表５】
0003672936.tif 000006
【００５６】
その後、コントローラ１０は第１に記憶した曲の再生が終了したことを検出すると（ステップＳ１４０）、再生順序記憶メモリ１２を参照し、再生順序を順に「１」繰り上げ（ステップＳ１４１）、再生すべき曲があるか、ないかをステップＳ１４２で判断し、再生すべき曲がある場合には、第２に記憶した曲の再生を実行する（ステップＳ１０１、ステップＳ１０２）。
【００５７】
この再生の実行は、記憶した曲の順番に実行される。上記表５の例では、「傘がない」、「東へ西へ」、「傘がない」、「夢の中へ」が次々と再生される。曲番号に終了コードたとえば、ＦＦが記憶されていたら、それ以上の選曲再生は行わない。このように、第３の実施例では、複数の選曲の記憶ができる。
【００５８】
次に、この発明の第４の実施例について説明する。この第４の実施例では、上記第３の実施例と同様の再生順序記憶メモリ１２を第２の実施例に適用し、ディスク番号と曲番号を記憶するように構成すれば、第２の実施例の構成でも、同様の複数の選曲の記憶ができる。
【００５９】
また、この発明の第５の実施例として、コンパクトディスクが新たに挿入されたときには、コントローラ１０は挿入されたディスク番号に対応する音声認識装置のテンプレートパターンを消去するように動作しても、さらによい効果がある。
【００６０】
さらに、前記第１の実施例では、音楽の再生中に登録スイッチ２３を押した場合に、コントローラ１０は再生中の曲番号に対応して、音声登録を実行させたが、第６の実施例として、再生準備中（たとえば、選曲スイッチ４が押されたことを検出し、ピックアップ２が移動中の状態）に、登録スイッチ２３を押した場合にも、コントローラ１０は再生準備中の曲番号に対応して、音声登録を実行させるように動作しても、さらに、よい効果がある。
【００６１】
また、上記第１の実施例では、コンパクトディスクの場合を例にとって説明したが、テープレコーダ、ビデオテープレコーダ、ビデオディスクなどの場合にも、同様の効果がある。
【００６２】
以上のように、請求項１の記載の発明によれば、選曲操作に基づき、記憶媒体に記憶された音楽データを再生する再生手段と、入力された音声を認識する音声認識手段と、再生手段が音楽データを再生している際に、音声認識手段が入力された音声を認識した場合、この認識した音声と再生中の音楽データの記憶媒体に記憶された曲の順番を示す曲番号とを一対にし、これら一対データと、この一対データを記憶するテンプレート番号とを記憶する記憶手段と、音声入力により再生手段を再生動作させる際、音声認識手段により認識された音声が記憶手段に記憶されているか否かを判断し、記憶された音声と一致した場合は、この一致した音声に対応する曲番号の音楽データを再生するよう再生手段に出力する制御手段を備え、音声認識手段が入力音声を認識した際、この入力音声に対応するテンプレート番号を選択し、このテンプレート番号に対応した曲番号の音楽データを再生するよう構成したので、登録時に曲番号と曲名の対応を見なくてもよく、曲番号に対応する曲名を容易に登録でき、音声によって簡単に選曲でき、使い勝手の良い音楽自動再生装置を得ることができる。
【００６３】
また、請求項２に記載の発明によれば、操作に基づき、複数の記憶媒体から所定の記憶媒体を選択し、この選択した記憶媒体に記憶された音楽データを再生する再生手段と、入力された音声を認識する音声認識手段と、再生手段が音楽データを再生している際に、音声認識手段が入力された音声を認識した場合、この認識した音声と再生中の記憶媒体の順番を示す記憶媒体番号と再生中の曲の順番を示す曲番号とを一組にし、これら一組データと、この一組データを記憶するテンプレート番号とを記憶する記憶手段と、音声入力により再生手段を再生動作させる際、音声認識手段により認識された音声が記憶手段に記憶されているか否かを判断し、記憶された音声と一致した場合は、この一致した音声に対応する記憶媒体番号の記憶媒体を選択するとともにこの記憶媒体に記憶された曲番号の音楽データを再生するよう再生手段に出力する制御手段を備え、音声認識手段が入力音声を認識した際、この入力音声に対応するテンプレート番号を選択し、このテンプレート番号に対応した記憶媒体番号と曲番号の音楽データを再生するよう構成したので、上記効果に加えて、複数の記憶媒体中のどこに記憶されている曲でも音声により簡単に選曲することができる音楽自動再生装置を得ることができる。
【００６４】
さらに、請求項３に記載の発明によれば、音声認識手段が複数の音声を認識した際、認識した順に記憶手段に記憶し、再生手段が音楽データを再生する際、記憶された各音声と一致した音声に対応する音楽データを順に再生するよう再生手段に出力するように構成したので、複数の曲の記憶順に再生でき、再生手順を円滑にできる音楽自動再生装置を得ることができる。
【図面の簡単な説明】
【図１】この発明の第１の実施例による音楽自動再生装置の構成を示すブロック図である。
【図２】同上第１実施例の動作の流れを示すフローチャートである。
【図３】この発明の第２の実施例による音楽自動再生装置の構成を示すブロック図である。
【図４】この発明の第３の実施例による音楽自動再生装置の構成を示すブロック図である。
【図５】同上第３の実施例の動作の流れを示すフローチャートである。
【図６】従来の音楽自動再生装置の構成を示すフローチャートである。
【図７】従来の音楽自動再生装置の動作の流れを示すフローチャートである。
【符号の説明】
１  コンパクトディスク
２  ピックアップ
３  アクセス制御回路
４  選曲スイッチ
５  Ｄ／Ａ変換器
６  アンプ
７  スピーカ
８  コンパクトディスクマガジン
９  コンパクトディスク選択回路
１０  コントローラ
１１  曲番号対応メモリ
１２  再生順序記憶メモリ
２０  音声認識装置
２１  マイクロホン
２２  認識スイッチ
２３  登録スイッチ
【図１】
0003672936.tif 000007
【図２】
0003672936.tif 000008
【図３】
0003672936.tif 000009
【図４】
0003672936.tif 000010
【図５】
0003672936.tif 000011
【図６】
0003672936.tif 000012
【図７】
0003672936.tif 000013